(57)【要約】【課題】開閉窓を開閉する一連の動作でサッシュ本体と開閉窓との隙間をふさぐことの可能な落下防止パネルを、閉姿勢においてサッシュ枠面内に格納したサッシュ構造を提供することを課題とする。【解決手段】サッシュ本体と開閉窓は連続丁番により回転自在に連結する。これらサッシュ本体と開閉窓の枠間には空隙を設け、コの字型を形成した落下防止パネルを格納する。この落下防止パネルは、開閉窓の連続丁番の辺を除く一対の枠に、回転自在なビスで連結し開閉動作に連動するよう構成する。【選択図】図１
2005048481.tif 000002
【特許請求の範囲】
【請求項１】
建物外壁に固定された額縁状のサッシュ本体と、回転自在な連続丁番により連結された開閉窓を持つサッシュ構造であって、開閉窓を開けた際に、サッシュ本体との隙間から建物外部への物の落下や、外部からの虫の侵入を防ぐ事の出来る落下防止パネルを、閉姿勢においてサッシュ本体と開閉窓の枠間の空隙に格納しているサッシュ構造
【発明の詳細な説明】
【技術分野】
【０００１】
本発明は、建物外壁に固定された額縁状のサッシュ枠に、回転自在な連続丁番により連結され、サッシュ枠の面外に開閉することが出来る窓を備えているサッシュ構造に関する
【背景技術】
【０００２】
サッシュ枠面外に開閉することが出来るような開閉窓を備えているサッシュ構造では、図５のように開閉窓１の開閉方向を室内側に開き出す場合には、外壁側に固定式の落下防止パネル２を取付け、また開閉窓の開閉方向を外壁側に開き出す場合には、室内側に内開き式の網戸を取付けたり、開閉動作終了後にサッシュ本体とは別の落下防止パネルを室内側からはめ込むことにより、物の落下や虫の侵入を防いだものが知られている。
【０００３】
しかし、固定式の落下防止パネルを外壁側に取り付けた場合は、外部側のサッシュ及びガラス面の清掃が困難となるだけでなく、落下防止パネルに付着する微細な粉塵が雨だれ状の汚れを引き起こす原因になるという問題を抱えていた。また、開閉動作終了後にサッシュ本体とは別の落下防止パネルをはめ込む場合は、取り付け終了迄の間、あるいは取り付け動作の煩雑さから落下防止パネルを取り付けずに使用してしまうことによる、建物下への物の落下事故の危険を取り除くことが出来ずにいた。
【０００４】
さらに、室内側に例えばステンレス製の内開き式の網戸を設置するような場合には、建物外部からガラス越しに網戸が見えるだけでなく、室内側から外部の見通しが悪くなるという美観上の問題を抱えていた。
【発明の開示】
【発明が解決しようとする課題】
【０００５】
本発明は、このような従来の問題点を解決すると共に、開閉窓を開閉する一連の動作でサッシュ本体と開閉窓の隙間をふさぎ、かつその閉姿勢において建物内外に露出することのない、美観性にも優れた換気通風に有効な開口を持つ落下防止パネルを組み込んだサッシュ構造の提供にある。
【課題を解決するための手段】
【０００６】
本発明の特徴構成を説明する。先ず額縁状のサッシュ本体３と開閉窓８を、図１、図２のように双方の枠に設けた連続丁番１３ａ１３bで回転自在に連結する。次に、換気通風用の開口を持つ図４のようなコの字型の落下防止パネル１４を、図１のように開閉窓の枠１１、１２に回転自在なビス１８で固定する。そして、閉姿勢においては図６、図７に示すようにサッシュ本体の枠５，６，７と開閉窓の枠１０，１１，１２の空隙１９，２０，２１内に格納し、開姿勢においては図９に示すサッシュ本体と開閉窓の隙間２３，２４，２５を全てふさぐよう構成する。
【０００７】
なお、上述のように図面との対照を便利にするために符号を記したが、この記入により本発明は添付図面の構成に限定されるものではない。また、特記なき図面は、右側を室内側、左側を外部側とし、室内側に開くことを内開き、外部側に開くことを外開きと称する。
【発明の効果】
【０００８】
請求項１の発明の特徴構成によれば、サッシュ本体と開閉窓との隙間２３，２４，２５をふさぐ落下防止パネル１４が、全てサッシュ本体と開閉窓の枠の空隙１９，２０，２１内に格納され、室内側、外部側に露出することがないことから、清掃等のメンテナンス性、建物美観性に優れている。また、開閉窓を開閉する一連の動作でサッシュ本体との全ての隙間がふさがれており、落下防止パネルの取り付け動作の煩わしさもなく、建物下への物の落下の危険を取り除くことが可能となったことで、換気通風といった自然エネルギーが利用でき、空調費用を抑えることに効果がある。
【発明を実施するための最良の形態】
【０００９】
窓を開けるという一連の動作でサッシュ本体との隙間を全てふさぐという目的を、単純な構成で、サッシュ本体の性能を損なわずに実現した。
【実施例１】
【００１０】
額縁状に構成されたアルミ製のサッシュ本体の枠４，５，６，７を建物の壁や構造部材に公知の手段により固定する。この額縁状の枠内部には図１、図６、図７に示すように複層ガラスまたは単板ガラスを保持出来るよう成型した、開閉窓を構成するもう一つの額縁状の枠９，１０，１１，１２を持つ。サッシュ本体と開閉窓は、サッシュ本体側の枠４とそれに接する開閉窓の枠９双方に設けたくり型１３a、１３bを連続丁番とし回転自在に連結する。一方落下防止パネル１４は、図４のように換気・通風用の開口を持つ例えばステンレス製の上面パネル１５と、それを両端から支える例えば樹脂製の一対のサイドパネル１６，１７からなるものをビス３０で固定し、コの字型に形成する。この落下防止パネル１４と開閉窓は、図１に示すように一対のサイドパネル１６，１７と開閉窓の両サイドの枠１１，１２を回転可能なビス１８で連結する。尚、枠１１、１２にはビス１８の補強用の座板２６をビス２７により固定する。以上により、サッシュ本体３と開閉窓８、及び開閉窓と落下防止パネル１４がそれぞれ連結され、閉姿勢においては、図６，図７のように落下防止パネル１４は、サッシュ本体と開閉窓の枠同士の隙間１９，２０，２１に格納され、サッシュ枠面外に突出することなく納められる。
【００１１】
続いて、落下防止パネルが開閉窓の開閉動作に連動して引き出され、元の閉姿勢の状態に格納されることを説明する。開閉窓８と落下防止パネル１４は回転自在なビス１８により連結されているものの、開動作においてはその室外側の端部を折り返すことにより設けた爪２２とサッシュ本体の上枠に設けた爪３５とが接する図３の状態となるまでは一体として動き、ここで初めて落下防止パネル１４は開姿勢の位置に固定され動きを止める。ここから開閉窓のみが、両端の枠１１，１２と落下防止パネル１４のサイドパネル１６，１７に固定してある、例えばステンレス製の当たりピース３６，３７が接する図１の状態まで開き続け、この位置で開姿勢を保持する。この開姿勢の状態において、サッシュ本体と開閉窓の両端の空隙２４，２５は落下防止パネルのサイドパネル１６，１７により、上端の空隙２３は上面パネル１５によりふさがれており、全ての空隙が一連の動作でふさがれている。
【００１２】
閉動作においては開動作と逆の動き、つまり図１の状態から開閉窓を押し上げ図３の状態となるまでは開閉窓８のみが閉じていき、そこからさらに閉動作を継続して初めて落下防止パネル１４と開閉窓８が一体として動き、図７に示す元の閉姿勢に到る。ここで、レバーハンドル２８を回転し、ラッチ２９と爪３５を擦接することで元の閉姿勢を保持することが出来る。
【００１３】
一連の開閉動作において開閉窓や落下防止パネル、サッシュ本体が接する部分には例えばゴム製の緩衝材３８，３９を設け、それぞれが接する時の音の発生を抑えると共に、アルミサッシュの持つ酸化皮膜や塗装仕上げを保護しておく。また、閉姿勢におけるサッシュの気密性能や水密性能は、図７に示すように外部から室内側に徐々に高くした枠形状４や、例えば成型したゴム製の水返しやタイト材、３１，３２，３３，３４、４０，４１を、サッシュ本体と開閉窓の間に生じるわずかな空隙に押しつけ密着させることで確保する。尚、開閉窓を効果的に引き寄せタイト材と密着させる為に、開閉窓の枠１０にビス止め固定した、例えばアルミダイキャスト製のレバーハンドル２８に連動して回転するラッチ２９を、サッシュ枠５の爪３５と擦接するよう構成しておく。さらに、このレバーハンドル２８を回転させ、ラッチ２９と爪３５との掛かりをはずし、押し引きすることで開閉窓の開閉を行う事も出来る。
【００１４】
尚、強風時の開姿勢保持性能を確保するために、サッシュ本体側の両端の枠６，７に、例えばステンレス製のデッドボルトをコイルバネで出し入れする機構を持つ樹脂製のボールストッパーを、開閉窓の枠１１，１２側にストッパー受けの樹脂製の凹状のピースをビス止め固定しておき、開姿勢になると同時にストッパーを効かせるものとする。
【実施例２】
【００１５】
先の実施例１においては、その開き勝手を内倒し窓としたが、外開き窓や内開き窓、突き出し窓、縦軸あるいは横軸回転窓など、要するにサッシュ本体に対して開閉窓をサッシュ面外に開き出すタイプのサッシュについては同じ落下防止パネルとそれらの関連するピースの組み合わせにより構成することが可能である。
【実施例３】
【００１６】
先の実施例１においては、落下防止パネルの上面パネルを一枚として説明したが、より大きな開口面積を得たい場合には、その上面パネルを複数枚とすることも可能で、ここでは二枚とした場合で説明する。尚、特記ない場合それぞれの開閉動作や、開姿勢、閉姿勢の保持、各当たり部材や、衝突音防止用の部材等については先の実施例１と同様であり、ここでは落下防止パネルが一枚の時と異なる部分を主に説明する。
【００１７】
図８のように、コの字型を形成した落下防止パネルの一枚目の上面パネル４３、及びその上面パネルと同様の開口と曲率を持つ二枚目の上面パネル４４には、それぞれ上下同一の位置にスライドホール４５，４６を設け、一枚目のパネル４６から出した凸状のビスをキャップ４７でかしめスライド自在に連結しておく。先の実施例１において説明した一枚目の上面パネル室外側端部を折り返して設けていた爪は一枚目の上面パネルの同様の位置４８に設けるものとし、これら一対のサイドパネル４９，５０と上下二枚の上面パネル４３，４４からなる落下防止パネルを先の実施例１と同様、回転自在なビス１８により開閉窓と連結し、閉姿勢においてサッシュ面外に露出することなく格納する。
【００１８】
この落下防止パネルと開閉窓の連動の仕方を説明するに、先の実施例１の図３の状態までは開閉窓８と二枚の上面パネル４３、４４からなる落下防止パネルは一緒に動き、ここで上面パネル４３のみが動きを止める。さらに、スライドホール４５の端部にキャップ４７がくる図８の状態となるまでは上面パネル４４と開閉窓８のみが一緒に動く。ここから先は実施例１と同様開閉窓のみが継続して開き続け、各当たりピースが接する状態で開姿勢を保持する事となる。
【００１９】
尚、一枚目と二枚目のパネルの摺接による摩擦音は、上面パネル間やこれらを連結するキャップ４７との間に軟性体のパッキング材５１を介すことで防ぐことが出来る。３枚目以降のパネルを設ける場合には、同様のパネルの連結と構成の繰り返しにより、上面パネルを複数枚とし、その開口幅を大きくすることが可能となる。
【実施例４】
【００２０】
落下防止パネルは、例えばサイドパネルにも換気通風に有効な開口を設けることも可能であり、要するに開閉窓の開姿勢において換気通風に有効な開口を持ち、サッシュ本体との隙間からの落下防止を可能とするものに変更可能である。また、開動作を完了するためのステンレスの当たり部材は、例えば樹脂製とすることも可能であり、繰り返される開動作による衝撃に耐えることの出来る材質であれば種々の変更が可能である。同じく、部材間の衝突音を防ぐ目的で設けられたゴム製の緩衝材は、例えば合成繊維などを植毛したモヘア状のものを使用することもでき、要するに落下防止パネルや関連部材はここに示した材質に限られるものではない。
【実施例５】
【００２１】
実施例３において、二枚目の上面パネルは、一枚目の上面パネルに連結していたが、二枚目のパネルにもサイドパネルを設け、共にサイドパネルを持つ２枚の落下防止パネルを、実施例１、図１に示す回転自在なビス１８で開閉窓に連結することも可能であり、要するに開閉窓と一枚目の両端のサイドパネルを持つ落下防止パネルがあれば、二枚目以降の落下防止パネルは上面パネルのみを持つ形状にも、両端のサイドパネルを持つ形状にも変更が可能である。
【実施例６】
【００２２】
落下防止パネルに設けた換気通風用の開口サイズを大きくした場合、図１０のように上面パネルの下部に、例えば図１１のようなメッシュ状のステンレス製の防虫ネット５２を接着、または上面パネルに設けた爪４２により防虫ネットを抑えることにより、外部からの虫の侵入を防ぐことが可能となる。
【産業上の利用可能性】
【００２３】
物の落下の危険から窓を開けることが困難であった高層オフィスビルや高層住宅などのサッシに利用でき、さらには自動車などで、駐車中に虫の侵入を防ぐだけでなくセキュリティを保持しつつドアを開けたい場合にも応用できる。
【図面の簡単な説明】
【００２４】
【図１】開姿勢のサッシュ断面図
【図２】閉姿勢のサッシュ正面図
【図３】開閉動作中のサッシュ断面図
【図４】落下防止パネルアイソメ図
【図５】開閉窓と外付け落下防止のアイソメ図
【図６】閉姿勢のサッシュ平面図
【図７】閉姿勢のサッシュ断面図
【図８】上面パネル二枚時の落下防止パネルアイソメ図
【図９】落下防止パネルのない場合の開姿勢のサッシュ断面図
【図１０】上面パネルと防虫ネットアイソメ図
【図１１】防虫ネット姿図
【符号の説明】
【００２５】
３              サッシュ本体
８              開閉窓
１３a、１３b   連続丁番
１４            落下防止パネル
１５            落下防止上面パネル
１６，１７       落下防止サイドパネル
１８         
回転自在なビス
２２         
上面パネルの爪
２８          
レバーハンドル
２９          
ラッチ
４３、４４    上面パネル
４５、４６    スライドホール
４９、５０    サイドパネル
５２        
防虫ネット
【図１】
2005048481.tif 000003
【図２】
2005048481.tif 000004
【図３】
2005048481.tif 000005
【図４】
2005048481.tif 000006
【図５】
2005048481.tif 000007
【図６】
2005048481.tif 000008
【図７】
2005048481.tif 000009
【図８】
2005048481.tif 000010
【図９】
2005048481.tif 000011
【図１０】
2005048481.tif 000012
【図１１】
2005048481.tif 000013